(57)【特許請求の範囲】
【請求項１】
走行機体からの動力を受けて回転可能に支持された耕耘ロータと、
前記耕耘ロータの上部を覆う上部カバーと、
前記上部カバーの後部に上下方向に回動自在に設けられた整地体と、
前記整地体の幅方向端部に、該整地体の進行方向に対して前側が後側より整地体幅方向内側に位置して斜め方向に延びる回動中心軸を中心として上下方向に回動自在に設けられた延長整地体と、
前記延長整地体の回動量を調整可能な回動量調整機構と、
を備え、
前記回動量調整機構は、前記回動中心軸に対して接近及び離反可能に支持されて前記整地体の幅方向端部に接触して前記延長整地体の回動量を調整可能な位置調整部材を有する、耕耘整地作業機。
【請求項２】
前記位置調整部材は、ボルトである、請求項１に記載の耕耘整地作業機。
【請求項３】
前記回動量調整機構は、前記ボルトの軸部に対するナットの螺合位置を調整することにより、前記延長整地体の回動量を調整可能である、請求項２に記載の耕耘整地作業機。
【請求項４】
前記回動量調整機構は、前記延長整地体の上面に固着された支持枠を有し、
前記ボルトは、前記支持枠の頂部に設けられた孔部に挿入されるとともに、２つの前記ナットで前記支持枠の頂部を挟持することで前記支持枠に固定される、請求項３に記載の耕耘整地作業機。
【請求項５】
前記回動量調整機構は、前記延長整地体の回動量を無段階に調整可能である、請求項１乃至４のいずれか１項に記載の耕耘整地作業機。
【発明の詳細な説明】
【技術分野】
【０００１】
本発明は、耕耘ロータの後方に圃場を整地する整地体を備えた耕耘整地作業機に関する。
【背景技術】
【０００２】
耕耘整地作業機は、走行機体に装着されて走行機体の走行とともに進行しながら耕耘整地作業を行うものである。この耕耘整地作業機には、回転自在に支持された耕耘ロータと、耕耘ロータの上部を覆う上部カバーの後方側に上下方向に回動自在に設けられた第１の整地体と、第１の整地体の後端部に上下方向に回動自在に設けられた第２の整地体と、第２の整地体の左右方向端部に展開及び格納可能に軸支された延長整地体とを有してなるものが知られている（特許文献１参照）。
【０００３】
耕耘ロータは、耕耘整地作業機の幅方向両側に配設された伝動ケース及びサポートフレームの下側間に回転可能に支持されている。耕耘ロータは、走行機体からの動力が伝動ケース内に設けられた動力伝達機構を介して伝達されて、回転するようになっている。
【０００４】
この耕耘整地作業機の延長整地体は、平面視において展開状態で前端部分が進行方向に対して斜め外側前方へ延びるように傾斜している。このため、耕耘整地作業機の進行時に、第２の整地体の左右方向端部の前方に配置された伝動ケースによって圃場表面が削られて凹んだ溝に対して、圃場の土を寄せることができる。
【先行技術文献】
【特許文献】
【０００５】
【特許文献１】特開２００７−８２４４２号公報
【発明の概要】
【発明が解決しようとする課題】
【０００６】
この従来の耕耘整地作業機は、速い速度で進行すると、第１の整地体の後端部が浮き上がるように上動する場合がある。第１の整地体の後端部が上動すると、これに回動自在に接続された第２の整地体の前端部も上動して、延長整地体が引っ張り上げられる格好となって、延長整地体の前側が浮いた前高後低状態になる。
【０００７】
延長整地体が前高後低状態になると、第２の整地体はその後部が依然として圃場表面に接しているため整地作業をするが、延長整地体はその前部が進行方向斜め前方側へ傾斜して延びるので、延長整地体が前高後低状態になると、その後部は外端側が大きく内端側が小さく圃場表面から浮いてしまう（図５参照）。従って、延長整地体は外端側に向かうほど、整地作業ができなくなって圃場表面の整地機能が低下するという課題が生じる。
【０００８】
本発明は、このような課題を解消するためになされたものであり、延長整地体の前高後低状態時に、圃場表面の整地機能が低下しない延長整地体を有した耕耘整地作業機を提供することを目的とする。
【課題を解決するための手段】
【０００９】
上記目的を達成するために本発明の耕耘整地作業機は、走行機体からの動力を受けて回転動可能に支持された耕耘ロータと、耕耘ロータの上部を覆う上部カバーと、上部カバーの後部に上下方向に回動自在に設けられた第１の整地体と、第１の整地体の後部に上下方向に回動自在に設けられた第２の整地体と、第２の整地体の幅方向端部に、該第２の整地体の進行方向に対して前側が後側より整地体幅方向内側に位置して斜め方向に延びる回動中心軸を中心として上下方向に回動自在に設けられた延長整地体とを備え、延長整地体は、第２の整地体よりも下方に回動可能であることを特徴とする。
【００１０】
また、本発明の延長整地体には、回動中心軸に対して接近及び離反可能に支持されて第２の整地板の幅方向端部に接触して延長整地体の下方への回動量を調整可能な位置調整部材を有する下方回動量調整機構が設けられていることを特徴とする。
【００１１】
また、本発明は、下方回動量調整機構の位置調整部材により、延長整地体の後部が該延長整地体の幅方向全体にわたって圃場表面に接地可能であることを特徴とする。
【００１２】
また、本発明の下方回動量調整機構の位置調整部材は、延長整地体の下方への回動量を無段階に調整可能であることを特徴とする。
【００１３】
また、本発明の位置調整部材は、ボルトであることを特徴とする。
【発明の効果】
【００１４】
本発明に係わる耕耘整地作業機によれば、上記特徴を有することで、延長整地体が前高後低状態になった場合でも、圃場表面の整地機能が低下しない延長整地体を有した耕耘整地作業機を提供することができる。
【図面の簡単な説明】
【００１５】
【図１】本発明の第１実施形態に係わる耕耘整地作業機の平面図を示す。
【図２】展開時に第２の整地体よりも下方に位置する延長整地体を示し、同図（ａ）は延長整地体の平面図であり、同図（ｂ）は延長整地体の背面図であり、同図（ｃ）は延長整地体の側面図である。
【図３】格納状態時の延長整地体を示し、同図（ａ）は延長整地体の平面図であり、同図（ｂ）は延長整地体の背面図であり、同図（ｃ）は延長整地体の側面図である。
【図４】展開時に第２の整地体と略同一平面上に位置する延長整地体を示し、同図（ａ）は延長整地体の平面図であり、同図（ｂ）は延長整地体の背面図であり、同図（ｃ）は延長整地体の側面図である。
【図５】前高後低状態になった延長整地体の背面斜視図を示す。
【図６】通常の整地姿勢になった延長整地体の背面斜視図を示す。
【図７】本発明の第２実施形態に係わる延長整地体を示し、同図（ａ）は延長整地体の平面図であり、同図（ｂ）は延長整地体の背面図であり、同図（ｃ）は延長整地体の側面図である。
【発明を実施するための形態】
【００１６】
[第１実施形態]
以下、本発明の耕耘整地作業機の好ましい第１の実施の形態を図１〜図６に基づいて説明する。本実施の形態は、耕耘整地作業機のうち代かき用の耕耘整地作業機を例にして以下説明する。なお、説明の都合上、図１（平面図）に示す矢印の方向を前後方向及び左右方向として以下説明する。
【００１７】
耕耘整地作業機１は、図１に示すように、走行機体９０の後部に装着されて走行機体９０の走行とともに進行して代かき作業を行うものであり、左右方向に延びる本体フレーム３の両側に配設された伝動ケース５及びサポートフレーム７の下側間に回転動可能に支持された耕耘ロータ９を備える。耕耘ロータ９は、走行機体９０のＰＴＯ軸（図示せず）に接続される入力軸４を介して動力が伝達されて回転するようになっている。
【００１８】
耕耘ロータ９の上部にはこの上部を覆う上部カバー１１が設けられている。上部カバー１１は前後方向に延び、その左右両端部に前後方向に延びるカバー側板部１１ａを備えている。上部カバー１１の後部には上下方向に回動自在な第１の整地体１２が設けられ、その後端部には第２の整地体２０が設けられている。第２の整地体２０は板状であり、前端部が第１の整地体１２の後端部に軸支されて後側が上下方向に回動自在であり、本体フレーム３と第２の整地体２０との間に取り付けられた上下位置調整機構１３を介して第２の整地体２０の上下位置調整が可能である。第２の整地体２０の左右両端部には延長整地体３０が展開且つ折畳み自在に設けられている。第２の整地体２０の後端部には、整地作業時に圃場の泥水を作業機の内側へ案内する溝部２０ｂが複数設けられている。
【００１９】
延長整地体３０は、第２の整地体２０の左右両端部の上面に取り付けられた固定部材２１に回動自在に挿着された回動中心軸２３に取り付けられた支枠３１と、支枠３１の先端部に固着された均平板３３と、均平板３３を上方及び下方に付勢する引っ張りばね３５（図２（ａ）参照）とを有して構成される。
【００２０】
支枠３１は、図２（ａ）を更に追加して説明すると、前後方向に所定間隔を有して対向配置された一対の支持板３１ａ，３１ｂと、一対の支持板３１ａ，３１ｂ間を繋ぐ連結板３１ｃとを有して構成される。一対の支持板３１ａ，３１ｂは、均平板３３の表面の基端側（第２の整地体２０側）の端部上に配設されて第２の整地体２０側へ延びる。一対の支持板３１ａ，３１ｂの基端側の各端部は、前述した回動中心軸２３に軸支されている。
【００２１】
一対の支持板３１ａ，３１ｂの先端側（第２の整地体２０から離反する側）は、均平板３３の内面に溶接等によって固着されている。このため、延長整地体３０は回動中心軸２３を中心として上下方向に回動して、第２の整地体２０から左右方向外側へ延びる整地姿勢Ｐｓ（図２（ｂ）、図２（ｃ）参照）と、第２の整地体２０上に重ね合わされて第２の整地体２０に対して斜め上方へ延びる格納姿勢Ｐｋ（図３（ａ）、図３（ｂ）、図３（ｃ）参照）との間を移動可能である。
【００２２】
回動中心軸２３は、第２の整地体２０の進行方向に対して前側が後側より左右方向内側に位置するとともに、延長整地体３０が第２の整地体２０上に第２の整地体２０に沿って格納されるように、延長整地体３０が折り畳まれる中心軸線となる折畳み線Ｌが傾斜角度αを有して傾いている。このため、延長整地体３０による整地作業時の側方への泥土のはみ出しを少なくすることができると共に、延長整地体３０が第１の整地体１２やカバー側板部１１ａに接触することなく延長整地体３０を第２の整地体２０上に格納することができ、且つ延長整地体３０を作業機の内側にコンパクトに納めることができる。このため、第２の整地体２０上への格納時に延長整地体３０が作業機外側に突出する部分が少なくなり、移動時に延長整地体３０が障害物等に当接して損傷する事態を未然に防止することができる。
【００２３】
連結板３１ｃの表面の略中央部には、ゴム製のストッパ３２が設けられている。ストッパ３２は、円盤状に形成されて連結板３１ｃの表面に突出して設けられている。このストッパ３２は、延長整地体３０が第２の整地体２０上に折畳まれて格納される際に、ストッパ３２が第２の整地体２０に接触して、延長整地体３０や第２の整地体２０への衝撃を緩和する（図３（ｂ）参照）。
【００２４】
均平板３３の前側には上方に曲げ起こされた誘導片３３ａが形成されており、誘導片３３ａの基端部に繋がる均平板３３の接地線Ｌｓは、第２の整地体２０の左右方向に対して外側が内側より前方に突出して傾斜するように構成されている。このように、延長整地体３０は、整地姿勢Ｐｓになると、誘導片３３ａの外側が内側より前方に突出して斜め方向に延びるので、伝動ケース５により削られた土塊や泥土を整地体幅方向内側に寄せながら伝動ケース５により削られた溝を埋めて、耕土表面を均平にすることができる。均平板３３の後端部には、整地作業時に圃場の泥水を作業機の内側へ案内する溝部３３ｂが複数設けられている。
【００２５】
引っ張りばね３５は、第２の整地板２０の左右方向両端の進行方向後端部と支枠３１の支持板３１ｂの後部との間に取り付けられている。この引っ張りばね３５は、延長整地体３０が格納姿勢Ｐｋ（図３（ｂ）参照）に移動すると、縮小状態となり、延長整地体３０が格納姿勢Ｐｋから整地姿勢Ｐｓ（図２（ｂ）参照）側への回動角度が増加すると、それに伴って引っ張りばね３５の伸びは増大する。延長整地体３０の回動角度が所定角度（例えば、約９０°）になると、引っ張りばね３５の伸びは最大となり、回動角度が所定角度を超えると、引っ張りばね３５の伸びは漸次小さくなるように設けられている。
【００２６】
引っ張りばね３５は、延長整地体３０が格納姿勢Ｐｋ及び整地姿勢Ｐｓになると、引っ張りばね３５の附勢力によって延長整地体３０を格納姿勢Ｐｋ及び整地姿勢Ｐｓに維持させる。なお、延長整地体３０が整地姿勢Ｐｓの位置にあるときの引っ張りばね３５の力の大きさの詳細については後述する。
【００２７】
延長整地体３０の右側端部には、第２の整地体２０に対する延長整地体３０の下方への回動量を調整可能な下方回動量調整機構４０が設けられている。下方回動量調整機構４０は、図２（ａ）、図２（ｂ）、図２（ｃ）及び図４（ａ）に示すように、延長整地体３０の上面上に固着された支持枠４１と、支持枠４１に対して左右方向に位置調整自在に設けられたボルト４５及びナット４７，４８とを有してなる。
【００２８】
支持枠４１は、第２の整地体２０の左右方向に沿って延びて前後方向に所定間隔を有して配置された一対の支持枠側部４１ａと、支持枠側部４１ａの第２の整地体２０側の端部間を繋ぐ支持枠頂部４１ｂとを有してなる。支持枠頂部４１ｂは、第２の整地体２０の左側端部に設けられて前後方向に延びる整地体側部２０ａと略平行になるように配置されている。支持枠頂部４１ｂの略中央部にはボルト４５の軸部４５ｂを挿通可能な孔部が設けられている。
【００２９】
ボルト４５は、軸部４５ｂと軸部４５ｂの軸方向一端部に形成された頭部４５ａとを有してなる。軸部４５ｂには、その一端部から他端部に亘って雄ねじが形成されている。ボルト４５は、軸部４５ｂに第１のナット４７を予め螺合させた状態で、第１のナット４７から延出する軸部４５ｂを孔部の第２の整地板側から挿入し、孔部から延出する軸部４５ｂに第２のナット４８を螺合して、支持枠４１に装着される。
【００３０】
ボルト４５は、第１のナット４７及び第２のナット４８が互いに接近する方向に回動させることで、これらのナット間に支持枠頂部４１ｂが挟持された状態となって、支持枠４１に固定される。また、ボルト４５は、軸部４５ｂに対する第１のナット４７及び第２のナット４８の螺合位置を調整することで、支持枠４１に対するボルト４５の頭部４５ａの位置を第２の整地体２０の整地体側部２０ａに対して接近及び離反する位置に無段階に位置調整することができる。
【００３１】
このため、支持枠４１の支持枠頂部４１ｂに対してボルト４５の頭部４５ａの先端までの距離をＬ１とした場合、図４（ａ）、図４（ｂ）、図４（ｃ）に示すように、ボルト４５の頭部４５ａの先端部が整地体側部２０ａに接触して延長整地体３０の下方への回動が規制されて、延長整地体３０を第２の整地体２０と略同一平面上に位置させることができる（図４（ｂ）参照）。
【００３２】
また、支持枠４１の支持枠頂部４１ｂに対してボルト４５の頭部４５ａの先端までの距離をＬ１より小さいＬ２（Ｌ２＜Ｌ１）とした場合、図２（ａ）、図２（ｂ）、図２（ｃ）に示すように、ボルト４５の頭部４５ａの先端部が整地体側部２０ａに接触するまで延長整地体３０が下方へ回動することで、延長整地体３０を第２の整地体２０よりも下方に位置させることができる（図２（ｂ）参照）。
【００３３】
このため、耕耘整地作業機１の進行速度が速くなった場合、第１の整地体１２（図１参照）の後端部が浮き上がるように上動するに伴って第２の整地体２０の前端部が上動すると、延長整地体３０が回動中心軸２３を介して引っ張り上げられた格好になる（図５参照）。延長整地体３０の前方が引っ張り上げられた格好になると、延長整地体３０の前側が浮いた前高後低状態になり、図５に示すように、延長整地体３０の後部に略三角形状の斜線で示した未接地部分Ｐｍができることになり、延長整地体３０はその整地機能が低下若しくはなくなってしまうが、延長整地体３０は第２の整地体２０よりも下方へ回動可能であるので、延長整地体３０は前述した引っ張りばね３５による附勢力と自重とによって下方へ回動して、延長整地体３０の後部を延長整地体３０の幅方向（左右方向）全体にわたって圃場表面に接地させた状態（図６参照）にすることができ、その整地機能を発揮させることができる。
【００３４】
そして、延長整地体３０の溝部３３ｂによって、圃場の泥土を整地体幅方向内側に寄せて伝動ケース５により削られた溝に埋めることができ、耕土表面を均平にすることができる。
【００３５】
なお、耕耘整地作業機１の進行速度が遅くなるなどして、延長整地体３０が前高後低状態から水平姿勢（図４（ｂ）参照）になろうとすると、延長整地体３０は、前述した引っ張りばね３５の附勢力に抗して通常の整地姿勢に維持される。ここで、延長整地体３０が通常の整地姿勢にあるときの引っ張りばね３５の附勢力の大きさは、圃場の泥土が柔らかい場合でも、延長整地体３０の先端部が圃場の泥土内に食い込むことがない程度の大きさを有している。このため、延長整地体３０の整地作業時に延長整地体３０の先端部によりが耕土表面にすじが形成される等の不都合が生じる虞はない。
【００３６】
[第２実施形態]
次に、耕耘整地作業機の第２実施形態について図７を参照しながら説明する。第２実施形態については、前述した第１実施形態との相違点のみを説明し、第１実施形態と同一態様部分については同一符号を附して説明を省略する。
【００３７】
支枠３１'は、図７（ａ）、図７（ｂ）、図７（ｃ）に示すように、前後方向に所定間隔を有して対向配置された一対の支持板３１ａ，３１ｂを有してなる。つまり、この支枠３１'には、前述した連結板３１ｃ及びストッパ３２（図２（ａ）参照）が省略されている。このように、支枠３１'には連結板３１ｃ及びストッパ３２が省略されていることで、支枠３１'の構造が簡素化されて、下方回動量調整機構のコストを安価にすることができる。
【００３８】
また、前述した実施例では、代かき用の耕耘整地作業機１を例にして説明したが、前述した延長整地体３０を耕耘・砕土用の耕耘整地作業機に取り付けてもよい。耕耘・砕土用の耕耘整地作業機（図示せず）は、耕耘ロータ９の上部を覆う上部カバー１１の後部に整地体を上下回動自在に設け、この整地体の左右方向端部に前述した延長整地体３０を取り付けて構成する。このように延長整地体３０を設けることにより、前述した代かき用の耕耘整地作業機１と同様の効果、即ち、耕耘整地作業機１の進行速度が速くなった場合でも、延長整地体３０の後部を延長整地体３０の幅方向（左右方向）全体にわたって圃場表面に接地させた状態にすることができ、圃場表面を整地する整地機能を発揮させることができるという効果を得ることができる。
【符号の説明】
【００３９】
１  耕耘整地作業機
９  耕耘ロータ
１１  上部カバー
１２  第１の整地体
２０  第２の整地体
２３  回動中心軸
３０  延長整地体
４０  下方回動量調整機構
４５  ボルト（位置調整部材）
９０  走行機体
【図１】
0006356296.tif 000002
【図２】
0006356296.tif 000003
【図３】
0006356296.tif 000004
【図４】
0006356296.tif 000005
【図５】
0006356296.tif 000006
【図６】
0006356296.tif 000007
【図７】
0006356296.tif 000008